(57)【要約】【課題】  振動や風の影響を受けても異音が発生することがない。雨樋への緩衝材の取付けが簡単且つ正確に行える。【解決手段】  バルコニー１の床２に細長い排水用開口部３を形成する。排水用開口部３の開口縁に沿って排水用水切り板４を取付ける。排水用開口部３の下方に上開口が排水用開口部３と上下に対向するように長尺の雨樋５を配設すると共に上記排水用水切り板４に設けた下方に垂下した水切り片６を雨樋５の両側壁７の内面側に沿わせ、長尺の弾性を有する緩衝材８の長手方向の複数箇所にクリップ９を取付ける。クリップ９を雨樋５の側壁７上端部に形成した耳部１０に係止すると共に上記緩衝材８を雨樋５の側壁７と水切り片６との間に介在させる。【選択図】        図１
2006219909.tif 000002
【特許請求の範囲】
【請求項１】
バルコニーの床に細長い排水用開口部を形成し、排水用開口部の開口縁に沿って排水用水切り板を取付け、排水用開口部の下方に上開口が排水用開口部と上下に対向するように長尺の雨樋を配設すると共に上記排水用水切り板に設けた下方に垂下した水切り片を雨樋の両側壁の内面側に沿わせ、長尺の弾性を有する緩衝材の長手方向の複数箇所にクリップを取付け、該クリップを雨樋の側壁上端部に形成した耳部に係止すると共に上記緩衝材を雨樋の側壁と水切り片との間に介在させて成ることを特徴とするバルコニーの排水部の構造。
【請求項２】
弾性を有する緩衝材を上横片部の一端部から下方に縦片部を突出して構成し、該縦片部の下部を上部よりも肉厚となった厚肉部とし、上横片部を雨樋の耳部に載置すると共に厚肉部を雨樋の側壁と水切り片に圧接して成ることを特徴とする請求項１記載のバルコニーの排水部の構造。
【請求項３】
弾性を有する緩衝材を上横片部の一端部から下方に縦片部を突出して構成し、略逆Ｕ字状をしたクリップ本体の上横片の上面に係止突起を突設すると共に上横片の上面の一端から起倒自在に突出した挟持片に上記係止突起が係止する被係止部を設けてクリップを構成し、クリップ本体の上横片の上面に緩衝材の上横片部を載置した状態で係止突起を上横片部を貫通して上横片部の上面を上方から挟む挟持片の被係止部に係止すると共に、緩衝材の縦片部にクリップ本体の内側縦片を沿わせて成ることを特徴とする請求項１又は請求項２記載のバルコニーの排水部の構造。
【発明の詳細な説明】
【技術分野】
【０００１】
本発明は、バルコニーの床に降った雨水等の水を排水するためのバルコニーの排水部の構造に関するものである。
【背景技術】
【０００２】
バルコニーの床に降った雨水等の水の排水に当たっては、例えばバルコニーの床に直接細長い排水溝を形成している。この細長い排水溝は一端部に排水用ドレインを設け、バルコニーの床から細長い排水溝に流れ込んだ水を排水用ドレインを設けた一端部側に流し、排水用ドレインに接続した筒状樋に排水するようになっている。
【０００３】
このため上記排水溝には水勾配を形成する必要がある。排水溝を形成するに当たってモルタル塗り等により排水溝を形成する場合には上記水勾配を形成することができるが、床パネルによりバルコニーの床を形成するものにおいては、該床パネルに水勾配を持つように排水溝を形成するのはきわめて困難である。
【０００４】
そこで、特許文献１に示されるようなバルコニーの排水部の構造が提案されている。この特許文献１に示されたものは、図９に示すようなもので、バルコニー１の床２に細長い排水用開口部３を形成し、排水用開口部３の開口縁に沿って排水用水切り板４を取付け、排水用開口部３の下方に上開口が排水用開口部３と上下に対向するように長尺の雨樋５を配設すると共に上記排水用水切り板４に設けた下方に垂下した水切り片６を雨樋５の両側壁７の内面側に沿わせた構造となっている。つまり、バルコニー１の床２に降った雨水等の水を縁部に排水用水切り板４を取付けた排水用開口部３から下方に流下させ、この排水用開口部３から下方に流れた水を雨樋５に流し込むことで排水するようにしたものである。このものにおいては、バルコニー１の床２に形成した細長い排水用開口部３に取付ける排水用水切り板４と、排水用開口部３の下方に配置する雨樋５とを別体としてあるので、雨樋５として一般に使用されている上方が開口した断面略Ｕ字状をした軒樋と同じものを使用し、軒樋の取付けと同じようにして簡単に雨樋５が水勾配を持つように施工することが可能となり、雨樋５の長手方向の一端部に取付ける排水用ドレインに向かってスムーズに排水できるようにしている。
【０００５】
この場合、排水用水切り板４に設けた下方に垂下した水切り片６を雨樋５の両側壁７の内面側に沿っているので、水切り片６を伝った水が水切り片６の下端から雨樋５内に流れ、雨樋５の外に飛散しないようになっている。
【０００６】
ところが、上記のように排水用水切り板４に設けた下方に垂下した水切り片６が雨樋５の両側壁７の内面側に沿っている構造となっているため、振動や風の影響で互いに接触して擦れ合うことで異音が発生するという問題がある。また、排水用開口部３から流下する水の勢いが強い場合、水切り片６と雨樋５の側壁７との間から水が上昇して雨樋５の上端を越えて外に出るおそれもある。
【０００７】
そこで、本発明者は本発明に至る過程で図１０（ｂ）に示すような片面に粘着剤４１を設けた長尺の緩衝材８’を雨樋５の側壁７の内面の上端部に貼付け、図１０（ａ）のように緩衝材８’を雨樋５の側壁７と水切り片６との間に介在させることを考えた。
【０００８】
これによると緩衝材８’の存在で振動や風の影響をうけても異音が発生しない。しかしながら、このものにおいては、長尺の緩衝材８’を長尺の雨樋５の側壁７の内面の上端部に粘着剤４１を貼付ける作業がきわめて面倒な作業となり、作業性が悪く、工数がかかり、また、正確に貼付け難いという問題があり、また、粘着剤４１保護のために離型紙を貼付けたものの場合には現場で離型紙がゴミとなって出るという問題があり、更に、雨樋５への固定は粘着力によっているため、長期間の使用で粘着力が低下し、緩衝材８’が脱落するおそれがあり、緩衝材８’が脱落すると振動や風の影響をうけた場合に異音が発生する恐れがある。
【特許文献１】特開２００１−５９２６３号公報
【発明の開示】
【発明が解決しようとする課題】
【０００９】
本発明は上記の従来の問題点に鑑みて発明したものであって、振動や風の影響を受けても異音が発生することがなく、また、雨樋への緩衝材の取付けが簡単且つ正確に行えると共に長期間使用しても緩衝材を確実に雨樋の所定位置に取付けておくことができて長期間にわたって振動や風の影響を受けても異音が発生しないバルコニーの排水部の構造を提供することを課題とするものである。
【課題を解決するための手段】
【００１０】
上記課題を解決するために本発明に係るバルコニーの排水部の構造は、バルコニー１の床２に細長い排水用開口部３を形成し、排水用開口部３の開口縁に沿って排水用水切り板４を取付け、排水用開口部３の下方に上開口が排水用開口部３と上下に対向するように長尺の雨樋５を配設すると共に上記排水用水切り板４に設けた下方に垂下した水切り片６を雨樋５の両側壁７の内面側に沿わせ、長尺の弾性を有する緩衝材８の長手方向の複数箇所にクリップ９を取付け、該クリップ９を雨樋５の側壁７上端部に形成した耳部１０に係止すると共に上記緩衝材８を雨樋５の側壁７と水切り片６との間に介在させて成ることを特徴とするものである。
【００１１】
このような構成とすることで、長尺の緩衝材８を雨樋５の長手方向にわたって取付けるに当たって、緩衝材８の長手方向の複数箇所に取付けたクリップ９を雨樋５の耳部１０に係止して取付けるだけで、簡単且つ正確に雨樋５の所定の位置に緩衝材８を取付けることができ、振動や風の影響を受けても雨樋５の側壁７と水切り片６との間に介在した緩衝材８により確実に異音が発生するのを防止でき、また、クリップ９を耳部１０に係止することで緩衝材８を雨樋５に取付けているので、長期間の使用に当たっても確実に緩衝材８を雨樋５の所定位置に取付けておくことができ、この結果、長期間にわたって振動や風の影響を受けても異音が発生しない。
【００１２】
また、弾性を有する緩衝材８を上横片部１１の一端部から下方に縦片部１２を突出して構成し、該縦片部１２の下部を上部よりも肉厚となった厚肉部１３とし、上横片部１１を雨樋５の耳部１０に載置すると共に厚肉部１３を雨樋５の側壁７と水切り片６に圧接することが好ましい。
【００１３】
このように上横片部１１を雨樋５の耳部１０に載置することで、緩衝材８の雨樋５への取付け位置が全長にわたって位置決めされて縦片部１２を雨樋５の側壁７の内面の上部の所定位置に正確に位置するように取付けることができると共に緩衝材８が全長にわたって下方に脱落しにくく、また、雨樋５の側壁７は普通上端の開口側に行くほど両側壁７間の間隔が広くなるように傾斜しているが、縦片部１２の下部が上部よりも肉厚の厚肉部１３となっているので、水切り片６を略垂直にした場合、縦片部１２の上部、下部とも水切り片６に弾接することが可能となり、緩衝効果がより確実になり、また、この部分から水が上昇するのを確実に防止することが可能となる。
【００１４】
また、弾性を有する緩衝材８を上横片部１１の一端部から下方に縦片部１２を突出して構成し、略逆Ｕ字状をしたクリップ本体１４の上横片１５の上面に係止突起１６を突設すると共に上横片１５の上面の一端から起倒自在に突出した挟持片１７に上記係止突起１６が係止する被係止部１８を設けてクリップ９を構成し、クリップ本体１４の上横片１５の上面に緩衝材８の上横片部１１を載置した状態で係止突起１６を上横片部１１を貫通して上横片部１１の上面を上方から挟む挟持片１７の被係止部１８に係止すると共に、緩衝材８の縦片部１２にクリップ本体１４の内側縦片１９を沿わせることが好ましい。
【００１５】
このような構成とすることで、緩衝材８にクリップ９を取付けるに当たって、クリップ本体１４の上横片１５の上面に緩衝材８の上横片部１１を載置した状態で係止突起１６を上横片部１１を貫通して上横片部１１の上面を上方から挟む挟持片１７の被係止部１８に係止するだけで簡単な作業で確実にクリップ９を雨樋５に取付けることができる。
【発明の効果】
【００１６】
本発明は、緩衝材を雨樋の側壁と水切り片との間に介在させてあるので、振動や風の影響を受けても異音が発生するのを防止できるのはもちろん、長尺の弾性を有する緩衝材の長手方向の複数箇所にクリップを取付け、クリップを雨樋の側壁上端部に形成した耳部に係止するので、雨樋への緩衝材の取付けが簡単且つ正確に行えると共に長期間使用しても緩衝材を確実に雨樋の所定位置に取付けておくことができて長期間にわたって振動や風の影響を受けても異音が発生しないようにできる。
【発明を実施するための最良の形態】
【００１７】
以下、本発明を添付図面に示す実施形態に基いて説明する。
【００１８】
バルコニー１は、例えば図２に示すように建物本体２０の梁３５にバルコニー用片持ち梁（図示せず）の後端を固着し、バルコニー用片持ち梁の前端間にバルコニー用トラスパネル２２やバルコニー前梁を架設し（図２の実施形態ではバルコニー用トラスパネル２２を架設した例が示してある）、更に、上記バルコニー用トラスパネル２２又はバルコニー前梁と建物本体２０の梁３５との間にバルコニー床受け梁２１を架設してバルコニー用骨組み構造体を構成し、バルコニー床受け梁２１にバルコニー１の床２の主体を構成するバルコニー用の床パネル２３を載設固着し、更に、バルコニー用片持ち梁、バルコニー用トラスパネル２２の上にバルコニー用壁パネル２４を立設して構成される。
【００１９】
バルコニー１の床２には細長い排水用開口部３が形成される。ここで、図１に示すように上記バルコニー１の床２の主体を構成するバルコニー用の床パネル２３の上には防水シート２５、タイルのような床表面材２６を敷設されるのであるが、上記排水用開口部３部分にはバルコニー用の床パネル２３、防水シート２５、床表面材２６が存在せず、この部分は上下方向に開口している。
【００２０】
図２に示す実施形態においては、バルコニー床受け梁２１は受け梁本体２１ａの前端にＬ状をした連結梁部２１ｂを固着して構成してあり、連結梁部２１ｂは受け梁本体２１ａよりも下方に段落しており、バルコニー用の床パネル２３は上記受け梁本体２１ａに載設固着してあって、バルコニー用の床パネル２３の前端部とバルコニー用トラスパネル２２との間に上下に開口する排水用開口部３が形成してある。バルコニー用の床パネル２３は枠体２３ａの上面に面板２３ｂを載設固着して構成してある。
【００２１】
上記排水用開口部３の下方（床表面材２６よりもやや下方）には雨樋５が排水用開口部３の長手方向に沿って排水用開口部３と対向するように配設してある。雨樋５はいわゆる軒樋と称される通常の雨樋をそのまま使用するもので、断面Ｕ字状をしており両側壁７の上端部の外面側に耳部１０を突設してある。この雨樋５は排水用開口部３の下方において複数の樋受け金具２７により取付けられるのであるが、この場合雨樋５の長手方向の一端側が高く他端部側が低くなるように、つまり、水勾配を持つように傾斜して取付けられるものであり、雨樋５の他端部の低くなった方の端部付近に排水用ドレイン２８が取付けられる。また、雨樋５の長手方向の両端部には図４に示すように端部止水部材３４が取付けられて水が雨樋５の長手方向の両端部から外に流出しないように構成してある。
【００２２】
樋受け金具２７は例えば、図３に示すようにバルコニー床受け梁２１の前端部のＬ状をした連結梁部２１ｂ上にスペーサ２９を介して載設して取付けるものであり、介在するスペーサ２９の枚数や厚みを変えることで各樋受け金具２７のレベルを変え、雨樋５を所定の水勾配を持って取付けることができる。ここで、樋受け金具２７をバルコニー用の床パネル２３やバルコニー用トラスパネル２２に固着することで取付けてもよく、この場合、複数の樋受け金具２７の取付け位置のレベルを変えて雨樋５を所定の水勾配を持って取付ける。
【００２３】
図中８は弾性を有する緩衝材であり、また、この緩衝材８は弾性に加え止水性（非吸水性）を有しているのが好ましい。緩衝材８は、例えばエチレンプロピレンゴムにより形成してあり、弾性を有し且つ止水性を有している。もちろん、上記例にのみ限定されず、他の材料であっても弾性を有する材料、あるいは弾性を有し且つ止水性を有す材料であれば採用することができる。
【００２４】
緩衝材８は図６（ａ）に示すように上横片部１１の一端部から下方に向けて縦片部１２を一体に突出して構成した長尺物てあり、該縦片部１２の下部は内側、つまり上横片部１１の突出方向と同じ方向に向けて横向き突部３０を突設してあって、この横向き突部３０を設けた部分である縦片部１２の下部が縦片部１２の上部よりも肉厚の厚肉部１３となっている。
【００２５】
緩衝材８には長手方向の複数箇所にクリップ９を取付けてある。
【００２６】
クリップ９は図６（ｂ）（ｃ）に示すようなもので、上横片１５の両端部からそれぞれ下方に内側縦片１９と外側縦片３１とを一体に垂設して構成した略逆Ｕ字状のクリップ本体１４と、このクリップ本体１４の上横片１５の上面から上方に向けて突設した係止突起１６と、上横片１５の上面の外側縦片３１側に片寄った端部から起倒自在に連出した挟持片１７とでクリップ９を構成してある。
【００２７】
外側縦片３１の下端には係合爪部３２が設けてある。係止突起１６の上端部には山形をした係止頭部１６ａが設けてある。また、挟持片１７の突出基部は折り曲げ自在な折り曲げ部１７ａとなっており、挟持片１７には上記係止突起１６の係止頭部１６ａが係止自在な被係止部１８が設けてあり、添付図面に示す実施形態では挟持片１７に孔を設けて被係止部１８としてある。
【００２８】
上記構成のクリップ９を緩衝材８に取付けるには以下のようにして取付ける。
【００２９】
すなわち、図５に示すように、クリップ本体１４の上横片１５の上面に緩衝材８の上横片部１１を載置した状態で係止突起１６を上横片部１１を貫通して上横片部１１の上面を上方から挟む挟持片１７の被係止部１８に係止して上横片１５と挟持片１７とで上横片部１１を挟持して固着すると共に、緩衝材８の縦片部１２にクリップ本体１４の内側縦片１９を沿わせる。ここで、上横片部１１にあらかじめ孔を形成して該孔に係止突起１６を貫通させてもよく、あるいは、係止突起１６に上横片部１１を突き刺して貫通させてもよい。また、上記取付け状態において、図５（ａ）に示すように、緩衝材８の縦片部１２にクリップ本体１４の内側縦片１９を沿わせた状態で内側縦片１９の厚肉部１３が内側縦片１９の下端よりも下方に位置し、厚肉部１３を構成する横向き突部３０が内側縦片１９の下端よりも下方において外側縦片３１側に向けて突出した状態となっている。
【００３０】
上記のようにして長手方向の複数箇所にクリップ９を設けた長尺の緩衝材８を雨樋５の開口部の縁部に沿って縁部の全周にわたって取付ける。この取付けに当たっては、長尺の緩衝材８を図４のように雨樋５の開口縁部の上方に位置させ、該長尺の緩衝材８の上横片部１１を雨樋５の側壁７の上端の外側に突設した耳部１０の上面に長尺の緩衝材８の上横片部１１を載設すると共にクリップ９を雨樋５の耳部１０及び端部止水部材３４の上端部に嵌め込んで係止する。この場合、外側縦片３１の下端の係合爪部３２が耳部１０の下端の外側隅部に係止し、クリップ９に上方への引き抜き力が作用しても外れないようになっている。また、クリップ９を耳部１０に嵌め込んで取付けた場合、弾性を有する横向き突部３０が強く雨樋５の側壁７に弾性的に圧接しクリップ９の雨樋５への取付け強度がより強固になり、更に、側壁７と緩衝材８の縦片部１２の下端部の横向き突部３０とが弾性的に圧着してこの部分から水漏れが生じないようになっている。上記緩衝材８を雨樋５の上開口の縁部に沿って取付けるに当たっては、複数のクリップ９を設けた長尺の弾性を有する緩衝材８を雨樋５の上開口の縁部の任意の１箇所から順次上開口の縁部に沿って取付けていって環状に取付け、最初に取付け開始した任意の１箇所まで戻ると、この部分でカッターで切断して緩衝材８の長手方向の両端面同士を突き合せるようにしてもよく、あるいは、雨樋５の上開口の縁部に沿って複数本の緩衝材８を長手方向において突き合せながら取付けるようにしてもよい。
【００３１】
排水用ドレイン２８にはエルボや呼び樋や縦樋のような筒状樋３６が接続してある。
【００３２】
バルコニー１の床２に設けた細長い排水用開口部３の開口縁に沿って図７に示すように排水用水切り板４が取付けられる。排水用水切り板４は図８に示すように、細長い排水用開口部３の周囲の部材であるバルコニー用の床パネル２３やバルコニー用トラスパネル２２やバルコニー用片持ち梁等に沿わせて釘のような固着具により固着するための固着片３３と固着片３３から下方に向けて一体に垂設した水切り片６を備えている。図８の実施形態では、排水用水切り板４として床パネル側排水用水切り板４ａと、トラスパネル側排水用水切り板４ｂと、端部側排水用水切り板４ｃとで構成してある。これらの排水用水切り板４を排水用開口部３の開口縁に沿わせ、バルコニー用の床パネル２３やバルコニー用トラスパネル２２やバルコニー用片持ち梁等に沿わせて釘等により固着する。上記のようにして排水用開口部３の開口縁に沿って排水用水切り板４を取付けた後、バルコニー用の床パネル２３及び床パネル側排水用水切り板４ａの表面に防水シート２５を貼付け、また、バルコニー用壁パネル２４に先付けした防水シート２５ａをトラスパネル側排水用水切り板４ｂや端部側排水用水切り板４ｃの表面に貼付け、これにより排水用開口部３の開口縁に沿った排水用水切り板４の取付け部分から内部に水が入らないようにする。このようにして排水用開口部３の開口縁に排水用水切り板４を取付けることで、排水用水切り板４の水切り片６が排水用開口部３の縁部から下方に垂下し、雨樋５の側壁７の内面側に沿わせられる。ここで、水切り板４の取付けに当たっては、水切り片６が雨樋５の側壁７の内面の上部に全長にわたって沿設した緩衝材８の縦片部１２に押接するように取付ける。
【００３３】
上記のようにバルコニー１の床２に設けた細長い排水用開口部３の開口縁に沿って排水用水切り板４を取付けた後、バルコニー用の床パネル２３の防水シート２５の上にタイルのような床表面材２６を敷設する。この場合、図１（ａ）に示すように面板２３ｂの排水用開口部３の端部上には床表面材２６を敷設せず、段部３７とする。また、バルコニー用トラスパネル２２の側面の上端部に固定した固着片３３に貼着した防水シート２５ａにＬ状の受け金具３８を重ねて固着し、上記段部３７と受け金具３８とに多数の排水孔３９を設けた目隠し蓋４０の両端部を載置して目隠し蓋４０により排水用開口部３を覆う。
【００３４】
バルコニー１の床２に降った雨水等の水は床２から目隠し蓋４０の排水孔３９を通って排水用開口部３に流れ、排水用開口部３の下方に配置する水勾配を持った雨樋５に流下し、雨樋５内を流れて水下側に設けた排水用ドレイン２８から筒状樋３６に排水される。
【００３５】
ところで、本発明においては、上記のように、上横片部１１を雨樋５の耳部１０に載置するので、緩衝材８の雨樋５への取付け位置が全長にわたって位置決めでき、長尺の緩衝材８が蛇行することなく縦片部１２を雨樋５の側壁７の内面の上部の所定位置に正確に位置するように取付けることができるものであり、また、上横片部１１を雨樋５の耳部１０に載置するので緩衝材８が全長にわたって下方に脱落しない。
【００３６】
また、雨樋５の側壁７は普通上端の開口側に行くほど両側壁７間の間隔が広くなるように傾斜しているが、上記のように、縦片部１２の下部が上部よりも肉厚の厚肉部１３となっているので、水切り片６を略垂直にした場合、縦片部１２の上部、下部とも水切り片６に弾接することが可能となり、緩衝効果がより確実になる。
【００３７】
ここで、弾性を有する緩衝材８として止水性（非吸水性）を有する緩衝材を使用すると、排水用開口部３から流下する水の勢いが強くて、水切り片６と雨樋５の側壁７との間から水が上昇しようとしても弾性を有すると共に止水性を有する緩衝材８を雨樋５の側壁７と水切り片６との間に介在して側壁７と水切り片６とに弾接してこの部分を密閉することになり、この部分からの水の上昇による流出を防止できる。
【図面の簡単な説明】
【００３８】
【図１】（ａ）は本発明の断面図であり、（ｂ）は同上の要部拡大断面図である。
【図２】同上のバルコニーの概略全体断面図である。
【図３】同上の樋受け金具の取付け高さを調整して取付ける例を示す分解斜視図である。
【図４】同上の雨樋への緩衝材の取付けを説明するための分解斜視図である。
【図５】同上に用いるクリップ付きの緩衝材を示し、（ａ）は断面図であり、（ｂ）は正面図である。
【図６】（ａ）は同上に用いる緩衝材の断面図であり、（ｂ）は同上に用いるクリップの側面図であり、（ｃ）は正面図である。
【図７】同上の水切り板の取付けを示す分解斜視図である。
【図８】同上に用いる水切り板の斜視図である。
【図９】従来例の断面図である。
【図１０】（ａ）は本発明に至る過程で考えた案を示す断面図であり、（ｂ）は同上に用いる緩衝材の断面図である。
【符号の説明】
【００３９】
１  バルコニー
２  床
３  排水用開口部
４  排水用水切り板
５  雨樋
６  水切り片
７  側壁
８  緩衝材
９  クリップ
１０  耳部
１１  上横片部
１２  縦片部
１３  厚肉部
１４  クリップ本体
１５  上横片
１６  係止突起
１７  挟持片
１８  被係止部
１９  内側縦片
【図１】
2006219909.tif 000003
【図２】
2006219909.tif 000004
【図３】
2006219909.tif 000005
【図４】
2006219909.tif 000006
【図５】
2006219909.tif 000007
【図６】
2006219909.tif 000008
【図７】
2006219909.tif 000009
【図８】
2006219909.tif 000010
【図９】
2006219909.tif 000011
【図１０】
2006219909.tif 000012